(57)【要約】【課題】  高振動環境下においても接続信頼性を損なうことのないコネクタ構造を提供すること。【解決手段】  このコネクタ構造１０は、雄端子２３を雌端子１３の接点部１３ｆに接触させた雌コネクタ１１と、雄コネクタ２１との嵌合固定状態で、上記雄端子２３と雌端子１３との間に生じ得る摺動距離が、上記雄端子２３と雌端子１３の接点部１３ｆとの接触部分における接触痕Ａの範囲よりも小さくなるように構成されている。【選択図】      図３
2005141993.tif 000002
【特許請求の範囲】
【請求項１】
弾性接触片を有する雌端子と、この雌端子を収容する雌側ハウジングとを備えた第１のコネクタと、
上記雌端子内に挿入されて上記弾性接触片に突設された接点部に接触する雄端子と、この雄端子を収容する雄側ハウジングとを備えた第２のコネクタとからなるコネクタ構造において、
上記雄端子を雌端子の接点部に接触させた第１のコネクタと第２のコネクタとの嵌合固定状態で、上記雄端子と雌端子との間に生じ得る摺動距離が、上記雄端子と雌端子の接点部との接触部分における接触痕の範囲よりも小さくなるように構成されていることを特徴とするコネクタ構造。
【請求項２】
上記接触痕は接点部を形成するために弾性接触片に打ち出し形成されたエンボス形状に応じて設定されることを特徴とする請求項１に記載のコネクタ構造。
【請求項３】
上記雌端子と雄端子との間に生じ得る摺動距離は、第１のコネクタと第２のコネクタとの嵌合方向に沿った方向と、この嵌合方向に直交する方向のいずれもが、上記接触痕の範囲内よりも小さくなるように構成されていることを特徴とする請求項１または請求項２に記載のコネクタ構造。
【発明の詳細な説明】
【技術分野】
【０００１】
本発明は、コネクタ構造に関し、高振動環境下における雄雌端子間の微摺動磨耗による接続信頼性の低下防止を図るものである。
【背景技術】
【０００２】
一般に、自動車用のワイヤハーネスを他のワイヤハーネスまたは自動車に備えられた機器に接続する際には、ワイヤハーネスの端末に取り付けられたコネクタを相手側のコネクタに嵌合することにより行われる。通常このような接続構造は、図１１に示すように、雌端子１ａとこの雌端子１ａを収容する雌側ハウジング１ｂとからなる雌コネクタ１と、雄端子２ａとこの雄端子２ａを収容する雄側ハウジング２ｂとからなる雄コネクタ２との嵌合構造からなっている（特許文献１参照）。後端に電線Ｗが圧着された雌端子１ａは雌側ハウジング１ｂのキャビティ１ｃ内に挿入され、弾性ランス１ｄとランス孔１ｅによる係止構造により抜け止め保持される。このような雌端子１ａの係止構造においては、通常雌端子１ａとキャビティ１ｃとの間、雌端子１ａと弾性ランス１ｄとの間等に所要のクリアランスが生じる。かかる構造は雄コネクタ２においても同様である。
【０００３】
また、雌コネクタ１と雄コネクタ２とは、雌側ハウジング１ｂの外面に設けた弾性撓み可能なロックアーム１ｆのロック爪１ｇを雄側ハウジング２ｂの外面に設けた係止枠２ｆに係止することにより両者を抜け止め状態で固定するようにしている。このようなロック構造においては、両コネクタ１、２の嵌合時にロックアーム１ｆが係止枠２ｆを乗り越える際に基部を支点として弾性的に撓んだ後、復帰動作することによりロックされる構成となっており、両コネクタ１、２の嵌合後の状態において所要のクリアアランスが生じる。更に、両ハウジング１ｂ、２ｂの外周の嵌合部位においても寸法精度により生じるクリアランスが存在する。このように両コネクタ１、２は嵌合状態において、上記の種々の要因によるクリアランスが存在するため、振動の影響を受けて雌端子１ａと雄端子２ａとの接点間で微摺動が発生する。更に、両ハウジング１ｂ、２ｂと雌端子１ａ、雄端子２ａとの材質の相違による熱膨張係数の差異によっても温度変化の影響で雌端子１ａと雄端子２ａとの間で微摺動が発生する。
【０００４】
一方、近年のエンジンの小型・軽量・高出力化によって、エンジンの振動の加速度は一層大きくなる傾向にある。そのような高振動環境および温度変化の環境下にコネクタ１、２が長期間さらされると、微小摺動によって雌端子１ａと雄端子２ａとの間に生じる摩耗が著しく進行するおそれがあった。
【特許文献１】特開平８−２３６２０７号公報
【発明の開示】
【発明が解決しようとする課題】
【０００５】
上記のような雄雌端子間の微摺動による摩耗を防止するには、雄雌コネクタの嵌合状態において雄雌ハウジングのロック部のクリアランス、各端子とハウジング間のクリアランス、雄雌ハウジング外面間のクリアランス等を無くす必要がある。しかしながら、これらの全てのクリアランスを無くすには非常に厳しい寸法精度の要求や、ネジ止め、バネ部材による押圧、特殊な外装部材による固定等の別部材での固定手段の追加等が必要となり、部品数の増加、組立工数の大幅な増加によるコストアップおよび作業性の低下と、コネクタの大型化に伴う取付スペースの制約等種々の問題が発生する。このため、上記種々のクリアランスを無くすという対応は極めて困難であった。
【０００６】
本発明は上記の点に鑑みてなされたものであり、雄雌端子間にある程度の微摺動が発生しても端子の接点部分が摩耗しないような条件を満足するコネクタ構造を提供することを目的としている。
【課題を解決するための手段】
【０００７】
上記目的を達成するため、本発明に係るコネクタ構造は、弾性接触片を有する雌端子と、この雌端子を収容する雌側ハウジングとを備えた第１のコネクタと、
上記雌端子内に挿入されて上記弾性接触片に突設された接点部に接触する雄端子と、この雄端子を収容する雄側ハウジングとを備えた第２のコネクタとからなるコネクタ構造において、
上記雄端子を雌端子の接点部に接触させた第１のコネクタと第２のコネクタとの嵌合固定状態で、上記雄端子と雌端子との間に生じ得る摺動距離が、上記雄端子と雌端子の接点部との接触部分における接触痕の範囲よりも小さくなるように構成している。
【０００８】
また、請求項２に記載の発明のように、上記接触痕は接点部を形成するために弾性接触片に打ち出し形成されたエンボス形状に応じて設定されることが好ましい。
【０００９】
更に、請求項３に記載の発明のように、上記雌端子と雄端子との間に生じ得る最大摺動距離は、第１のコネクタと第２のコネクタとの嵌合方向に沿った方向と、この嵌合方向に直交する方向のいずれもが、上記接触痕の範囲内よりも小さくなるように構成されていることが好ましい。
【発明の効果】
【００１０】
請求項１の発明によれば、第１のコネクタと第２のコネクタとの嵌合固定状態において、振動などの影響によって雄端子と雌端子との接点間に長期間にわたり微摺動が生じても、微摺動距離が雄端子と雌端子との間の接触痕の範囲内に設定されているので、接点部にガスタイト面を残した状態とすることができる。よって、このガスタイト面では、酸化およびアブレッシブ摩耗の発生が抑制されるため、雄雌端子の接触部間の微摺動による摩耗を著しく低減でき、長期間の使用においてもその接続信頼性を維持することができる。
【００１１】
請求項２の発明によれば、雄雌端子間に生じる微摺動の方向に応じてエンボス形状を対応させることで微摺動距離が接触痕の範囲内となる設定を容易に実現することができる。
【００１２】
請求項３の発明によれば、雄雌コネクタに作用する振動等の影響で雄雌端子間にどの方向の微衝動が発生しても両者間の接点部にガスタイト面を確保することができ、よって端子間の微摺動による摩耗を効果的に抑えることができる。
【発明を実施するための最良の形態】
【００１３】
図１は本発明に係るコネクタ構造の実施形態の全体構造断面、図２（ａ）（ｂ）はその端子構造の詳細断面を示している。
【００１４】
このコネクタ構造１０は、防水タイプであり、互いに嵌合可能な第１のコネクタとしての雌コネクタ１１と、相手側の第２のコネクタとしての雄コネクタ２１とからなっている。雌コネクタ１１は、合成樹脂製の雌ハウジング１２と、この雌ハウジング１２内に収容される雌端子１３とを備え、同様に雄コネクタ２１は雄ハウジング２２と雄端子２３とを備えている。
【００１５】
雌ハウジング１２は、その内部に雄ハウジング２２における後述のスカート部２４内に嵌合される端子収容部１４が備えられ、この端子収容部１４には雌端子１３を収容可能なキャビティ１５が形成されている。雌端子１３はキャビティ１５の後方から挿入され、キャビティ１５の内部に片持ち梁状に突設された弾性撓み可能なランス１６をランス孔１３ａに係止させることで抜け止めされている。なお、雌端子１３の先端部はキャビティ１５の前壁部１５ａに当接することで挿入方向の位置が規制されている。また、雌端子１３は端子収容部１４におけるランス１６の撓み空間１４ａ内に挿入されたリテーナ１７によって雌端子１３挿入後のランス１６の撓みを規制することで二重に係止されるようになっている。
【００１６】
雌端子１３は、例えば錫メッキされた銅または銅合金からなり、前部に角筒状に形成されて雄端子２３のタブ部２３ａを受け入れ可能な嵌合部１３ｂを設け、後部に設けられたバレル部１３ｃには電線Ｗの端末部と、電線Ｗに外装されキャビティ１５の内壁に密着する防水ゴム栓３１が圧着されている。
【００１７】
また、雌ハウジング１２には端子収容部１４を包囲する筒状のフード部１８が雄ハウジング２２との嵌合方向に向かって突設されている。このフード部１８の内面と端子収容部１４の外面との間は雄ハウジング２２のスカート部２４を受け入れるための嵌合空間１９とされ、端子収容部１４の外周にはゴムリング３２が装着されている。
【００１８】
雄ハウジング２２には、前方に開口した筒状のスカート部２４が設けられ、このスカート部２４の内周面は、雄ハウジング２２と雌ハウジング１２との嵌合状態においてゴムリング３２の外周面に密着して防水が図られるようになっている。また、スカート部２４内の奥壁２４ａからは、雄ハウジング２２の後方からキャビティ２５内に挿入した雄端子２３のタブ部２３ａが突設されている。なお、雄端子２３は、図示はしないが雌端子１３と同様にランスとランス孔により抜け止め状態で係止固定され、雌端子１３と同様の材質からなると共に、後端部には図示しない電線が接続されている。
【００１９】
また、雌ハウジング１２のフード部１８には、上下方向に弾性撓み可能なロックアーム１８ａが設けられている。このロックアーム１８ａは嵌合方向に向かって前後に延出され、中央を支点として後端の操作部１８ｂを操作することで先端に内方へ向けて突設した係止爪１８ｃ側を上下動させるようになっている。一方、雄ハウジング２２のスカート部２４の外面には、雌ハウジング１２との嵌合時に係止爪１８ｃと係合して雄ハウジング２２と雌ハウジング１２との嵌合状態を保持するための係止突起２４ｂを突設している。この係止突起２４ｂの先端方にはテーパー状の案内面２４ｃが形成され、雌ハウジング１２とスカート部２４との嵌合時にロックアーム１８ａの係止爪１８ｃを持ち上げ状に案内して係止突起２４ｂとの係合位置へ案内可能としている。
【００２０】
次に、雌端子１３と雄端子２３との接続のための構成について詳述すると、図２に示すように、雌端子１３の嵌合部１３ｂ内には、固定接点１３ｄが天板部の下面に設けられると共に、この固定接点１３ｄと所定の初期クリアランスを隔てて対向する弾性接触片１３ｅが底壁部の上方に設けられている。この弾性接触片１３ｅは、上記嵌合部１３ｂの底壁部の前端に連設された板状部材を斜め上方に折り返すことによって舌片状に形成され、その上面には、固定接点１３ｄ側に膨出する接点部１３ｆが形成されている。この接点部１３ｆは弾性接触片１３ｅに対し円弧状のエンボスを打ち出すことによって形成される。また、接点部１３ｆと固定接点１３ｄとの間の初期クリアランスは、雄端子２３のタブ部２３ａの厚みより狭く設定され、この接点部１３ｆと固定接点１３ｄとの間にタブ部２３ａが挿入されることで弾性接触片１３ｅが底壁側に押しやられることで接点部１３ｆがタブ部２３ａに対し弾性的に押圧される。
【００２１】
上記構成からなる雌コネクタ１１と雄コネクタ２１とは、雌ハウジング１２と雄ハウジング２２とをロックアーム１８ａと係止突起２４ｂとからなるロック手段により嵌合係止した状態において、雄端子２３のタブ部２３ａと雌端子１３の接点部１３ｆとが接触することにより両者間が電気的に接続されるようになっている。このとき、雌端子１３と雌ハウジング１２とは、ランス１６とランス孔１３ａによって係止されているが、両者間には所要のクリアランスが存在し、同様に雄端子２３と雄ハウジング２２との間には所要のクリアランスが存在する。また、雌ハウジング１２と雄ハウジング２２におけるロックアーム１８ａと係止突起２４ｂとの間にも所要のクリアランスが存在し、フード部１８とスカート部２４との間の周囲にもクリアランスが存在する。これらのクリアランスは、雌端子１３と雄端子２３とが嵌合方向とこれに直交する方向に相対的に摺動する要因となる。また、雌端子１３、雄端子２３と、雌ハウジング１２、雄ハウジング２２との材質の相違に伴う熱膨張係数の差異によっても雌端子１３と雄端子２３との間の摺動が生じる。
【００２２】
そして、本発明のコネクタ構造１０では、これら摺動の要因となる各要素の総和によって雌端子１３と雄端子２３との間の相対的な摺動が最大となるときの摺動距離の嵌合方向の成分をＸ、これに直交する方向の成分をＹとしたとき、次の条件を満足するように構成している。即ち、雌コネクタ１１と雄コネクタ２１との嵌合固定状態において、雄端子２３のタブ部２３ａを雌端子１３の接点部１３ｆに接触させたときの摺動距離（Ｘ、Ｙ）はタブ部２３ａと接点部１３ｆとの接触痕Ａの範囲よりも小さくなるように構成している。
【００２３】
図３は、本発明のコネクタ構造を実現するための条件を示す説明図である。
【００２４】
同図においては、接触痕Ａ中、摺動によっても大気に暴露されない部分、すなわちガスタイト面Ｂでの酸化及びアブレッシブ摩耗の発生が抑制されており、良好な接触状態が維持されていると考えられる。したがって、このガスタイト面が残る範囲で安定した接続が得られることになる。そこで、幾何学的に、そのような安定した接続が得られるような関係を導くと、以下のようになる。
【００２５】
摺動痕＝接触痕＋摺動距離
摺動痕＝２×接触痕−ガスタイト面長さ
ガスタイト面長さ＝２×接触痕−摺動痕
＝２×接触痕−（接触痕＋摺動距離）
＝接触痕−摺動距離
よって、ガスタイト面長さ＞０となるには、
接触痕−摺動距離＞０
すなわち、接触痕＞摺動距離
となる。
【００２６】
図４、５は、摩耗の進行過程を示すものであり、以下、これらの図を参照して、端子１２、２３における微摺動摩耗劣化の基本的なメカニズムについて説明する。
【００２７】
雄端子２３のタブ部２３ａが雌端子１３の嵌合部１３ｂに嵌合されて、その雌端子１３の弾性接触片１３ｅとタブ部２３ａとの接触部（接点部１３ｆ）が、振動等の外力や熱勾配時に材料の熱膨張係数の差異による伸縮力等を受けると、上記接触部に微小な摺動を生じる。すると、図４（ａ）（ｂ）に示すように、錫めっきの凝着摩耗による表面荒れが生じ、その荒れた面が増加してくる（♯１）。ついで摩耗粉が発生して、この時、図３で摺動により大気中に暴露される非ガスタイト面Ｃではこの摩耗粉が酸化される（♯２）。酸化摩耗粉が堆積して（♯３）、接触部間へ酸化摩耗粉が介在するようになる（♯４）。そして、酸化摩耗粉で研磨されることによるアブレッシブ摩耗と、酸化物の剥離による腐食摩耗とにより、削れが促進され、接触抵抗が急増してくる（♯５）。
【００２８】
その様子を図６に示すが、同図（ａ）中の縦軸は摩耗量で、横軸は時間（＝摺動回数）である。また同図（ｂ）中の縦軸は接触抵抗で、横軸は時間（＝摺動回数）である。同図（ａ）の曲線Ｄで示すように、最初は凝着摩耗が発生するが、この凝着摩耗の発生領域では、摩耗量の増加は緩やかであり、同図（ｂ）の曲線Ｅで示すように、接触抵抗の劣化も小さい。そして、引き続きアブレッシブ摩耗と腐食摩耗とが発生するが、これらの摩耗の発生領域では、摩耗は比較的急激に進行し、同図（ｂ）中の曲線Ｅで示すように、接触抵抗は非常に急激に増大するとともに、その変動が見られるようになり、不安定な状態となる。
【００２９】
また、摺動距離が大きい場合では、ガスタイト面Ｂが非常に小さいか、あるいは全く形成されないため、酸化摩耗粉の発生が著しく、同図（ａ）中の曲線Ｆで示すように、曲線Ｄに比べより早い段階でアブレッシブ摩耗と腐蝕摩耗の領域に移行し、また摩耗の程度も大きい。このとき、接触抵抗の変化も同図（ｂ）中の曲線Ｇで示すように、早い段階から高抵抗化が見られ、更にその変動も大きく、著しく不安定な状態となる。
【００３０】
一方、摺動距離が小さい場合では、その接触痕Ａのほとんどがガスタイト面Ｂのまま保持されているため、酸化が阻止され、酸化摩耗紛の発生が抑制される。このため、同図（ａ）中の曲線Ｈで示すようにアブレッシブ摩耗と腐蝕摩耗への移行が進まず、凝着摩耗領域で止まるため、摩耗量の増加もほとんどなく、同図（ｂ）中の曲線Ｉで示すように接触抵抗の経時変化も少なくて安定な状態が保たれている。
【００３１】
同図（ｃ）は上記図（ａ）（ｂ）を組み合わせたもので、同図（ｃ）中の縦軸は接触抵抗で、横軸は摩耗量である。同図（ｃ）では、摩耗量が比較的少ない領域では、接触抵抗はほとんど増大しない安定領域（許容摩耗量）が得られるが、摩耗量が大きい領域では、摩耗量の大きさに比例して接触抵抗も高抵抗を示し、不安定領域となる。さらに摩耗量が著しく大きい領域では、接触抵抗も著しい高抵抗を示し、かつその変動幅が大きくなって、一層不安定な状態を示すようになる。
【００３２】
これにより、摩耗の進行抑制には、酸化摩耗粉の発生、接触部への介在を抑えてアブレッシブ摩耗等の進行を防止するのが有効と考えられる。
【００３３】
図７は微摺動摩耗試験結果であって、縦軸は接触抵抗（ｍΩ）、横軸は摺動回数を示している。試験条件としては、雌端子と雄端子とを嵌合した状態で高温放置した後、嵌合状態のまま微摺動を与えた。振動周波数は２０Hz、摺動回数は約１４万回とした。図中（ａ）は端子間の摺動距離が０．０５ｍｍ、（ｂ）は０．１５ｍｍ、（ｃ）は０．２５ｍｍ、（ｄ）は０．７５ｍｍの場合を示し、接触痕の大きさはいずれも０．２０ｍｍとしている。
【００３４】
この試験結果から判るように、雄雌端子間の摺動距離が接触痕よりも大きい場合（ｃ）、（ｄ）で、接触抵抗が増加するとともに大きくばらついて接続が不安定となるが、摺動距離が接触痕よりも小さい場合（ｂ）では、接触抵抗が２ｍΩ付近で接続が安定となることが検証できた。また、更に摺動距離が小さい場合（ａ）では、接触抵抗の増加はほとんど見られず、１ｍΩ以下で非常に安定な特性を示している。
【００３５】
図８は上記微摺動摩耗試験での雌端子と雄端子との接触部分の表面状態を示し、上記の設定した摺動距離ごとにエンボスによる接点部側の雄雌（図２におけるタブ部２３ａの下側と接点部１３ｆ）と、天板側の雄雌（図２におけるタブ部２３ａの上面と固定接点１３ｄ）をそれぞれ示している。この図より、雄雌端子間の摺動距離が接触痕よりも小さい範囲では、摩耗が非常に少ないが、摺動距離が接触痕よりも大きくなると、摩耗が急激に増大している様子がわかる。
【００３６】
なお、接触痕Ａの範囲は実験により嵌合時接触痕の測定で求められる他、エンボス形状から周知のヘルツの式を用いて求めることもでき、雄雌端子間でそれぞれ一定の荷重が付加される場合には、その接触痕は一定値となる。一方、摺動距離は、前述のように各部材間のクリアランスの総和であり、これらのクリアランスの発生要因を規制することで摺動距離が接触痕Ａの範囲内となるように設定している。雄雌端子間の摺動距離を規制するには、例えば、図９（ａ）に示すようにロックアーム１８ａ′と係止突起２４ｂ′との係合によるロック手段において、ロックアーム１８ａ′の回動支点Ｐの位置を係止部の位置より外方へずらして設けることで係止突起２４ｂ′に対し係止爪１８ｃ′が食い込むような設定とする。これにより、ロック部におけるクリアランスを少なくすることができる。また、図９（ｂ）に示すように、ランス１６′をリテーナ１７′により内側へ強制的に押し込んでランス孔１３ａ′との間および雌端子１３′とキャビティ１５′との間のクリアランスを少なくすることができる。更に、図９（ｃ）に示すように雌ハウジング１２′の後端部に電線Ｗの振れ止め用の電線押さえカバー４０を取り付けることで電線Ｗの振れに追従する雌端子１３′の微摺動を軽減することもできる。なお、これらの対策例は雄コネクタ２１側にも同様に施すことができる。
【００３７】
このように、雄雌端子間の摺動距離を少なくするためには、種々の対策が可能であり、本発明においては、摺動距離を完全に無くすために各構成部材を完全固定する必要はなく、摺動距離が接触痕の範囲内になるように設定している。
【００３８】
また、図１０に示すように、雌端子１３における弾性接触片１３ｅの接点部１３ｆの形状を１３ｆ′のように緩やかな曲面形状となるようにエンボス形状を設定すれば、雄端子２３のタブ部２３ａとの間の接触痕Ａの範囲が広がるため、接触痕Ａの範囲内とされる摺動距離の設定条件を緩和することができる。更に、この場合、雄端子２３との間の摩擦抵抗が小さいため、より一層摩耗し難い状況を提供することができる。
【００３９】
また、上記実施形態においては、図３で雄雌端子間の摺動が一方向に生じた場合の状態を示したが、図示の方向に直交する方向に対しても同様に摺動距離が接触痕の範囲内にあるという関係を満足すればよい。即ち、雄雌端子間の微摺動が雄雌コネクタの嵌合方向に平行する方向と、これに直交する方向に発生する場合は、両方向ともに摺動距離が接触痕の範囲内に含まれるという条件を満足する必要がある。一方、各部位のクリアランス対策によって、一方向の摺動が発生しない状況においては、他方向の摺動距離についてのみ接触痕との関係を満足すればよい。
【００４０】
また、上記実施形態では、雄コネクタ２１側も雄端子２３がランスにより係止される一般コネクタの構成を示したが、機器直結コネクタ、ＰＣＢコネクタのように雄ハウジングに対し、雄端子がモールドや圧入により完全固定された状態で装着されるタイプのコネクタであってもよい。この場合、雄コネクタ側の雄端子と雄ハウジングとの間での雄端子の微摺動がないため他のクリアランス調整が有利となる。
【００４１】
また、上記実施形態では防水タイプのコネクタを示したが、防水処理を施さない一般のコネクタにも同様に適用可能である。更に、雄雌端子の本数としては、１本または２本以上の複数本いずれのタイプにも適用可能である。
【図面の簡単な説明】
【００４２】
【図１】本発明のコネクタ構造の実施形態を示す断面図である。
【図２】（ａ）は雄コネクタと雌コネクタとの嵌合前の状態における要部断面図、（ｂ）は嵌合状態の要部断面図である。
【図３】本発明のコネクタ構造を実現するための条件を示す説明図である。
【図４】（ａ）（ｂ）は端子の摩耗の進行状況を示す説明図である。
【図５】本発明のコネクタ構造における摩耗の進行過程を示すブロック図である。
【図６】端子の摩耗の進行状況を示す説明図であって、（ａ）は摩耗量と時間との関係、（ｂ）は接触抵抗と時間との関係、（ｃ）は接触抵抗と摩耗量との関係を示す。
【図７】（ａ）〜（ｄ）は端子の微摺動摩耗試験結果を示す図である。
【図８】雄雌端子間の接触部の表面状態を示す図である。
【図９】（ａ）〜（ｃ）はコネクタ構造における各部位のクリアランス減少対策の例を示す図である。
【図１０】雌端子の接点部におけるエンボス形状の変形例の模式図である。
【図１１】従来の一般的コネクタを示す図である。
【符号の説明】
【００４３】
１０  コネクタ構造
１１  雌コネクタ（第１のコネクタ）
１２  雌ハウジング
１３  雌端子
１３ｆ  接点部
２１  雄コネクタ（第２のコネクタ）
２２  雄ハウジング
２３  雄端子
２３ａ  タブ部
Ａ  接触痕
Ｘ、Ｙ  摺動距離
【図１】
2005141993.tif 000003
【図２】
2005141993.tif 000004
【図３】
2005141993.tif 000005
【図４】
2005141993.tif 000006
【図５】
2005141993.tif 000007
【図６】
2005141993.tif 000008
【図７】
2005141993.tif 000009
【図８】
2005141993.tif 000010
【図９】
2005141993.tif 000011
【図１０】
2005141993.tif 000012
【図１１】
2005141993.tif 000013